(57)【要約】  効率が改善された新規なドハティ増幅器が開示される。ある例示的な実装形態では、装置は、選択された位相シフトに基づいて位相シフトされた第1のミリメートル(MM)波信号を生成するように構成される位相シフタと、出力端子を含み、位相シフトされた第1のMM波信号と第2のMM波信号との組合せに基づいて出力端子における出力電力レベルを調整するように構成される、ハイブリッドプラスカプラとを含む。
2015514360.tif 000002
【特許請求の範囲】
【請求項１】
選択された位相シフトに基づいて位相シフトされた第1のミリメートル(MM)波信号を生成するように構成される、位相シフタと、
出力端子を含み、前記位相シフトされた第1のMM波信号と第2のMM波信号との組合せに基づいて、前記出力端子における出力電力レベルを調整するように構成される、ハイブリッドプラスカプラとを含む、装置。
【請求項２】
前記ハイブリッドプラスカプラが、第1の組合せに基づいて第1の出力端子における出力電力を調整し、第2の組合せに基づいて第2の出力端子における出力電力を調整するように構成される、請求項1に記載の装置。
【請求項３】
ドハティ増幅器として構成される、請求項1に記載の装置。
【請求項４】
MM波入力信号を受信し、第1のMM波信号および前記第2のMM波信号を実質的に等しい電力レベルにおいて生成するように構成される、分割器をさらに含み、前記第1のMM波信号が前記位相シフタに入力される、請求項1に記載の装置。
【請求項５】
前記ハイブリッドプラスカプラが、選択された出力端子における延長部を含み、前記延長部が、前記組合せを生成するために使用される90度の位相シフトを提供するように構成される、請求項1に記載の装置。
【請求項６】
前記ハイブリッドプラスカプラが、前記第2のMM波信号と前記位相シフトされた第1のMM波信号との位相差(φ)に基づいて、第1の出力端子(B)と第2の出力端子(D)との間の電力分配を生成するように構成され、前記端子BとDとの間の前記電力分配が、
【数７】
2015514360.tif 000009
から決定される、請求項1に記載の装置。
【請求項７】
前記選択された位相シフトを調整する位相制御信号を出力するように構成されるコントローラをさらに含む、請求項1に記載の装置。
【請求項８】
前記位相制御信号を生成するために前記コントローラによって使用される入力電力インジケータを出力するように構成される、入力電力検出器をさらに含む、請求項7に記載の装置。
【請求項９】
前記位相制御信号を生成するために前記コントローラによって使用される出力電力インジケータを出力するように構成される、出力電力検出器をさらに含む、請求項7に記載の装置。
【請求項１０】
ワイヤレスデバイスと基地局の少なくとも1つにおいてMM波入力信号を増幅するように構成される、請求項1に記載の装置。
【請求項１１】
選択された位相シフトに基づいて位相シフトされた第1のミリメートル(MM)波信号を生成するステップと、
前記位相シフトされた第1のMM波信号と第2のMM波信号との組合せに基づいて、出力端子における出力電力レベルを調整するステップとを含む、方法。
【請求項１２】
第1の組合せに基づいて第1の出力端子における出力電力を調整するステップと、
第2の組合せに基づいて第2の出力端子における出力電力を調整するステップとを含む、請求項11に記載の方法。
【請求項１３】
MM波入力信号を分割して、第1のMM波信号および前記第2のMM波信号を実質的に等しい電力レベルにおいて生成するステップをさらに含む、請求項11に記載の方法。
【請求項１４】
前記第2のMM波信号と前記位相シフトされた第1のMM波信号との位相差(φ)に基づいて、第1の出力端子(B)と第2の出力端子(D)との間の電力分配を生成するステップをさらに含み、前記端子BとDとの間の前記電力分配が、
【数８】
2015514360.tif 000010
から決定される、請求項11に記載の方法。
【請求項１５】
検出された入力電力レベルに基づいて、前記選択された位相シフトを調整するステップをさらに含む、請求項11に記載の方法。
【請求項１６】
検出された出力電力レベルに基づいて、前記選択された位相シフトを調整するステップをさらに含む、請求項11に記載の方法。
【請求項１７】
選択された位相シフトに基づいて位相シフトされた第1のミリメートル(MM)波信号を生成するための手段と、
前記位相シフトされた第1のMM波信号と第2のMM波信号との組合せに基づいて、出力端子における出力電力レベルを調整するための手段とを含む、装置。
【請求項１８】
第1の組合せに基づいて第1の出力端子における出力電力を調整するための手段と、
第2の組合せに基づいて第2の出力端子における出力電力を調整するための手段とをさらに含む、請求項17に記載の装置。
【請求項１９】
前記第2のMM波信号と前記位相シフトされた第1のMM波信号との位相差(φ)に基づいて、第1の出力端子(B)と第2の出力端子(D)との間の電力分配を生成するための手段をさらに含み、前記端子BとDとの間の前記電力分配が、
【数９】
2015514360.tif 000011
から決定される、請求項17に記載の装置。
【請求項２０】
検出された入力電力レベルと検出された出力電力レベルの少なくとも1つに基づいて、前記選択された位相シフトを調整するための手段をさらに含む、請求項17に記載の装置。
【発明の詳細な説明】
【技術分野】
【０００１】
本出願は、全般にワイヤレスデバイスの動作および設計に関し、より具体的には、電力増幅器の動作および設計に関する。
【背景技術】
【０００２】
より長い通話時間を実現するための低電力動作が可能なワイヤレスデバイスを持つことに対する、需要が増大している。低電力消費を実現するための1つの鍵は、デバイスの電力増幅器(PA)の性能と関連する。たとえば、ハンドセットのスタンバイ時間および通話時間を最大化するために、高度に線形で効率的な電力増幅器が使用され得る。しかしながら、従来のPAの設計では、一般に、高い出力レベルにおいてのみ効率が高い。通常、OFDMのような複雑な変調では、より低い出力レベルが必要とされる場合、効率はかなり低下する。
【発明の概要】
【発明が解決しようとする課題】
【０００３】
ドハティ電力増幅器が、平均電力効率を改善するために使用されてきた。ドハティ電力増幅器は、入力電力を主増幅器および補助増幅器に分割する電力分割器を有する。しかしながら、補助増幅器がオンされない動作の間は、補助増幅器に向けられる信号電力は無駄になり、したがって効率が低下する。したがって、必要とされるのは、ドハティ増幅器における入力電力の分配を最適化し、それによって、すべての入力電力を利用し、全体の電力効率を改善するための方法である。
【０００４】
本明細書で説明される上記の態様は、添付の図面と併せて、以下の発明を実施するための形態を参照することで、より容易に明らかになろう。
【課題を解決するための手段】
【０００５】
本発明の一態様は、選択された位相シフトに基づいて位相シフトされた第1のミリメートル(MM)波信号を生成するように構成される、位相シフタと、出力端子を含み、前記位相シフトされた第1のMM波信号と第2のMM波信号との組合せに基づいて、前記出力端子における出力電力レベルを調整するように構成される、ハイブリッドプラスカプラとを含む、装置である。
【図面の簡単な説明】
【０００６】
【図１】ミリメートル(MM)波用途のための、改善されたドハティ電力増幅器のある例示的な実施形態を示す図である。
【図２】ハイブリッドプラスカプラのある例示的な実施形態を示す図である。
【図３】ハイブリッドリングカプラのある例示的な実施形態を示す図である。
【図４】図1の改善されたドハティ増幅器の例示的な実施形態によって提供される効率の向上を示す、例示的なグラフである。
【図５】ドハティ増幅器から向上した効率を提供するためのある例示的な方法を示す図である。
【図６】向上した効率のために構成されるドハティ増幅器装置のある例示的な実施形態を示す図である。
【発明を実施するための形態】
【０００７】
添付の図面に関連して以下で述べられる発明を実施するための形態は、本発明の例示的な実施形態の説明として意図されており、本発明が実施され得る実施形態のみを表すことは意図されていない。本説明全体にわたって使用される「例示的」という用語は、「一実施例、実例、または例示として機能する」ことを意味し、必ずしも、他の例示的な実施形態よりも好ましいまたは有利なものと解釈されるべきではない。詳細な説明は、本発明の例示的実施形態の完全な理解をもたらす目的で、具体的な詳細を含んでいる。本発明の例示的実施形態はこれらの具体的な詳細なく実行され得ることが、当業者には明らかであろう。場合によっては、本明細書に提示される例示的な実施形態の新規性を曖昧にするのを回避する目的で、周知の構造およびデバイスがブロック図の形式で示されている。
【０００８】
図1は、ミリメートル(MM)波用途のための、改善されたドハティ電力増幅器100のある例示的な実施形態を示す。増幅器100は、ワイヤレスハンドセットまたは他のポータブルデバイスにおいて使用するのに適しており、かつ、基地局または任意の他のワイヤレス通信装置において使用するのにも適している。
【０００９】
増幅器100は、MM波入力信号(PIN)を受信する電力分割器102を含む。電力検出器104は、入力における電力を検出し、検出信号106をコントローラ108に提供する。分割器102の第1の出力(分割された信号)110は、ハイブリッドプラスカプラ112の「A」入力に入力される。分割器102の第2の出力(分割された信号)114は、位相シフタ116に入力される。位相シフタ116の位相シフトされた出力信号132は、第2の分割された信号114の位相シフトされたバージョンであり、ハイブリッドプラスカプラ112の「C」入力に入力される。分割器102の両方の出力が、入力信号(PIN)の電力レベルより3dB低い電力レベルを有する。
【００１０】
ある例示的な実施形態では、ハイブリッドプラスカプラ112は、1/4波長の延長部118を含む。この延長部は、90度の位相シフトをもたらすために使用される。延長部118は、伝送線路のような分布素子によって、またはLCフィルタのような集中素子を使用して構築され得る。別の実施形態では、ハイブリッドプラスカプラ108は、以下で論じられるように180度のリングカプラを含む。
【００１１】
ハイブリッドプラスカプラ112は、主電力増幅器(PA1)120に結合された端子「B」における第1の出力と、補助電力増幅器(PA2)122に結合された端子「D」における第2の出力とを有する。第1の電力増幅器120の出力は、PA1信号経路とPA2信号経路とでPINからPOUTへの総位相シフトを等しくするために使用される、(1/4波長位相シフタ)124に入力される。位相シフタ124および第2の電力増幅器122の出力は、出力電力信号(POUT)を生成するために一緒に結合される。
【００１２】
動作の間、ハイブリッドプラスカプラ112は、位相シフトされたバージョンの信号132とミリメートル波の第2の信号110との第1の組合せおよび第2の組合せを生成する。たとえば、入力信号の組合せは、それぞれ、第1の出力端子および第2の出力端子(BおよびD)において提供される。第1の組合と第2の組合せとのセットは、第1の出力端子および第2の出力端子における電力レベルを出力し、これにより、事実上、位相シフタ116によってもたらされる位相シフトに基づいて、ハイブリッドカプラの入力端子上の入力電力が出力端子に分配される。
【００１３】
コントローラ108は、電力検出器104によって検出された電力検出信号106に基づいて、位相制御信号126を出力して、位相シフタ116によって加えられる位相シフトの量を制御する。したがって、低電力において、コントローラ108は、ハイブリッドプラスコントローラ112が電力を補助電力増幅器122から主電力増幅器120へと向けるように、位相シフトを生成するように位相シフタ116を制御して、これによって、従来のシステムよりも改善された効率を実現する。ある代替的な実施形態では、電力検出器128は、出力信号(POUT)の電力レベルを検出し、検出された電力信号130をコントローラ108に提供するために結合される。コントローラ108は、検出された電力信号130に基づいて、位相シフタ116によってもたらされる位相シフトを制御するように動作する。延長部118は、位相シフタ116によって導入される位相シフトに基づいて、電力を分配するのを支援する。
【００１４】
したがって、位相シフタ116によって入力電力の分配を操作し、それによって低電力においてより高い効率を実現するための、ハイブリッドプラスカプラ112を含む、改善されたドハティ増幅器が提供される。
【００１５】
図2は、ハイブリッドプラスカプラ200のある例示的な実施形態を示す。たとえば、ハイブリッドプラスカプラ200は、図1に示されるハイブリッドプラスカプラ108として使用するのに適している。ハイブリッドプラスカプラ200は、入力端子AおよびCと出力端子BおよびDとを含む。ハイブリッドプラスカプラ200はまた、90度の位相シフトをもたらすために使用される延長部202を含む。延長部202は、伝送線路のような分布素子によって、またはLCフィルタのような集中素子を使用して構成され得る。入力端子(AおよびC)上の信号の位相差により、入力電力が出力端子(BおよびD)上で再分配される。たとえば、aおよびbが一定の係数であり、入力端子AおよびCへの信号入力が、
A=aej0   (1)
C=be-jφ  (2)
であり、出力端子BおよびDにおける組合せ信号が、
【００１６】
【数１】
2015514360.tif 000003
【００１７】
として表され得ると仮定する。
【００１８】
したがって、(a=b)である場合、入力信号の位相差に基づいて、次の電力分配が得られる。
φ=90°である場合、補助増幅器に対して
【００１９】
【数２】
2015514360.tif 000004
【００２０】
であり、
φ=-90°である場合、主増幅器に対して
【００２１】
【数３】
2015514360.tif 000005
【００２２】
であり、
φ=0°である場合、両方の増幅器の電力は等しい。
【００２３】
図3は、ハイブリッドリングカプラ300のある例示的な実施形態を示す。たとえば、ハイブリッドリングカプラ300は、図1に示されるハイブリッドプラスカプラ108として使用するのに適している。ハイブリッドリングカプラ300は、入力AおよびCと出力BおよびDとを含む。入力端子(AおよびC)における信号の位相差により、出力端子(BおよびD)で電力が再分配される。たとえば、端子AおよびCへの信号入力が、
A=aej0   (5)
C=be-jφ  (6)
であり、出力端子BおよびDにおける組合せ信号が、
【００２４】
【数４】
2015514360.tif 000006
【００２５】
として表され得ると仮定する。
【００２６】
したがって、(a=b)である場合、入力信号の位相差に基づいて、次の電力分配が得られる。
φ=0°である場合、補助増幅器に対して
【００２７】
【数５】
2015514360.tif 000007
【００２８】
であり、
φ=180°である場合、主増幅器に対して
【００２９】
【数６】
2015514360.tif 000008
【００３０】
であり、
φ=90°である場合、両方の増幅器の電力は等しい。
【００３１】
図4は、改善されたドハティ増幅器100の例示的な実施形態によって提供される効率の改善を示す、例示的なグラフ400を示す。たとえば、グラフ400は、通常のドハティ増幅器の効率を表すプロット線402を含む。プロット線404は、開示される実施形態に従って構築される改善されたドハティ増幅器の電力増幅器の効率(PAE)を表し、ここで、
PAE = (POUT - PIN) / PDCである。
【００３２】
図5は、改善されたドハティ増幅器を実現するためのある例示的な方法500を示す。たとえば、方法500は、図1に示される増幅器100によって実行される。
【００３３】
ブロック502において、増幅されるべきMM波信号は、電力分割器に入力されて、分割された第1の信号および第2の信号を生成する。たとえば、信号は、図1に示される電力増幅器102に入力され、第1の分割された信号110および第2の分割された信号114を生成する。
【００３４】
ブロック504において、第2の分割された信号は位相シフトされ、位相シフトされた分割された信号を生成する。たとえば、分割された信号114は、位相シフタ116に入力され、位相シフトされた信号132を生成する。
【００３５】
ブロック506において、第1の信号の位相シフトされたバージョンとミリメートル波の第2の信号との第1の組合せおよび第2の組合せが、それぞれ、第1の出力端子および第2の出力端子において生成される。第1の組合せと第2の組合せとのセットは、第1の出力端子および第2の出力端子における電力レベルを出力する。たとえば、第1の分割された信号および位相シフトされた分割された信号は、ハイブリッドプラスカプラ112に入力される。たとえば、信号110および信号132は、ハイブリッドプラスカプラ112の入力端子(AおよびC)に入力される。上で説明されたように、ハイブリッドプラスカプラ112は、90度の位相シフトをもたらすために延長部118を有する。ハイブリッドプラスカプラは、上で示された式に従って、入力信号の組合せを生成するように動作する。したがって、ハイブリッドプラスカプラは、位相シフトされた第1のMM波信号と第2のMM波信号との組合せに基づいて、出力端子における出力電力レベルを調整するように動作する。
【００３６】
ブロック508において、電力レベルが検出される。たとえば、電力検出器104は、入力信号の電力を検出し、電力検出信号106をコントローラ108に提供する。別の例示的な実施形態では、電力検出器128は、出力信号(POUT)の電力を検出し、電力検出信号130をコントローラ108に提供する。
【００３７】
ブロック510において、位相シフトは、効率を改善するように、検出された電力に基づいて調整される。たとえば、コントローラ108は、ハイブリッドプラスカプラ112によって提供される電力分配が従来のシステムよりも改善された効率を実現するように、位相シフタ116によって導入される制御シフトを制御するように、位相制御信号126を出力する。
【００３８】
したがって、方法500は、位相シフタ116およびハイブリッドプラスカプラ112を使用して、改善された効率を達成するように出力の電力分配を調整する、改善されたドハティ増幅器を提供するように動作する。他の例示的な実装形態では、方法500の動作は、本明細書で説明される機能を実現するように再配置または修正され得る。
【００３９】
図6は、改善された効率を実現するドハティ増幅器装置600のある例示的な実施形態を示す。たとえば、装置600は、図1に示される増幅器100として使用するのに適している。ある態様では、装置600は、本明細書で説明されるような機能を提供するように構成される、1つまたは複数のモジュールによって実装される。たとえば、ある態様では、各モジュールは、ハードウェアおよび/またはソフトウェアを実行するハードウェアを含む。
【００４０】
装置600は、選択された位相シフトに基づいて位相シフトされた第1のミリメートル(MM)波信号を生成するための手段(602)を含む第1のモジュールを含み、この手段は、ある態様では位相シフタ116を含む。
【００４１】
装置600はまた、位相シフトされた第1のMM波信号と第2のMM波信号との組合せに基づいて出力端子における出力電力レベルを調整するための手段(604)を含む第2のモジュールを含み、この手段は、ある態様ではハイブリッドプラスカプラ112を含む。
【００４２】
当業者は、情報および信号が、種々の異なる技術および技法のうちのいずれかを使用して表され処理され得ることを理解するであろう。たとえば、上の説明全体で言及され得るデータ、命令、コマンド、情報、信号、ビット、シンボル、およびチップは、電圧、電流、電磁波、磁場もしくは磁性粒子、光場もしくは光学粒子、またはこれらの任意の組合せによって表され得る。トランジスタのタイプおよび技術は、置換され、再構成され、または同じ結果を達成するための別様に修正され得ることに、さらに留意されたい。たとえば、PMOSトランジスタを利用して示される回路は、NMOSトランジスタを使用するように変更されてよく、かつその逆であってよい。したがって、本明細書で開示される増幅器は、種々のトランジスタのタイプおよび技術を使用して実現されてよく、図面で示されるトランジスタのタイプおよび技術には限定されない。たとえば、BJT、GaAs、MOSFET、または任意の他のトランジスタ技術のようなトランジスタタイプが使用され得る。
【００４３】
当業者は、本明細書で開示される実施形態に関して説明された様々な例示的な論理ブロック、モジュール、回路、およびアルゴリズムステップが、電子ハードウェア、コンピュータソフトウェア、または両方の組合せとして実装され得ることをさらに諒解するだろう。ハードウェアとソフトウェアのこの互換性を明確に示すために、様々な例示的なコンポーネント、ブロック、モジュール、回路、およびステップが、上記では概してそれらの機能に関して説明された。そのような機能がハードウェアとして実装されるか、ソフトウェアとして実装されるかは、具体的な適用例および全体的なシステムに課される設計制約に依存する。当業者は、説明された機能を具体的な適用例ごとに様々な方法で実装し得るが、そのような実装の決定は、本発明の例示的な実施形態の範囲からの逸脱を生じるものと解釈すべきではない。
【００４４】
本明細書で開示される実施形態に関連して説明される様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別のゲートもしくはトランジスタ論理、個別のハードウェアコンポーネント、または本明細書で説明される機能を実行するように設計されているそれらの任意の組合せによって、実装あるいは実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、DSPとマイクロプロセッサとの組合せ、複数のマイクロプロセッサ、DSPコアと連携する1つまたは複数のマイクロプロセッサ、あるいは任意の他のそのような構成として実装され得る。
【００４５】
本明細書で開示される実施形態に関して説明された方法またはアルゴリズムのステップは、直接ハードウェアで具現化されるか、プロセッサによって実行されるソフトウェアモジュールで具現化されるか、またはその2つの組合せで具現化され得る。ソフトウェアモジュールは、ランダムアクセスメモリ(RAM)、フラッシュメモリ、読取り専用メモリ(ROM)、電気的プログラマブルROM(EPROM)、電気消去可能プログラマブルROM(EEPROM)、レジスタ、ハードディスク、リムーバブルディスク、CD-ROM、または、当技術分野で知られている任意の他の形態の記憶媒体中に存在し得る。例示的な記憶媒体は、プロセッサが記憶媒体から情報を読み取り、記憶媒体に情報を書き込むことができるように、プロセッサに結合される。代替として、記憶媒体はプロセッサと一体であり得る。プロセッサおよび記憶媒体はASIC中に存在し得る。ASICはユーザ端末中に存在し得る。代替として、プロセッサおよび記憶媒体は、ユーザ端末中に個別コンポーネントとして存在し得る。
【００４６】
1つまたは複数の例示的な実施形態では、説明された機能は、ハードウェア、ソフトウェア、ファームウェア、またはそれらの任意の組合せで実装され得る。ソフトウェアで実装される場合、機能は、1つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を容易にする任意の媒体を含む、非一時的コンピュータ記憶媒体と通信媒体の両方を含む。非一時的記憶媒体は、コンピュータによってアクセスされ得る任意の入手可能な媒体であり得る。限定ではなく例として、そのようなコンピュータ可読媒体は、RAM、ROM、EEPROM、CD-ROMもしくはその他の光ディスクストレージ、磁気ディスクストレージもしくはその他の磁気ストレージデバイス、または、命令もしくはデータ構造の形態で所望のプログラムコードを運ぶかもしくは記憶するために使用され得るとともにコンピュータによってアクセスされ得る任意の他の媒体を含み得る。また、いかなる接続もコンピュータ可読媒体と適切に呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用される場合、ディスク(disk)およびディスク(disc)は、コンパクトディスク(CD)、レーザーディスク(登録商標)、光ディスク、デジタル多用途ディスク(DVD)、フロッピー(登録商標)ディスク、およびブルーレイディスクを含み、ディスク(disk)は、通常、磁気的にデータを再生し、ディスク(disc)は、レーザーで光学的にデータを再生する。上記の組合せもコンピュータ可読媒体の範囲内に含まれるべきである。
【００４７】
開示された例示的な実施形態の説明は、任意の当業者が本発明を作成または使用することを可能にするために提供される。これらの例示的な実施形態に対する様々な修正が当業者には容易に明らかとなり、本明細書で定義される一般原理は、本発明の趣旨または範囲を逸脱することなく他の実施形態に適用され得る。したがって、本発明は、本明細書に示される例示的な実施形態に限定されるものではなく、本明細書で開示される原理および新規の特徴に一致する最大の範囲を与えられるものである。
【符号の説明】
【００４８】
100  増幅器
102  電力分割器
104  電力検出器
106  検出信号
108  コントローラ
110  第1の出力
112  ハイブリッドプラスカプラ
114  第2の出力
116  位相シフタ
118  延長部
120  主電力増幅器
122  補助電力増幅器
124  1/4波長位相シフタ
126  位相制御信号
128  電力検出器
130  電力信号
132  位相シフトされた信号
200  ハイブリッドプラスカプラ
202  延長部
300  ハイブリッドリングカプラ
400  グラフ
【図１】
2015514360.tif 000012
【図２】
2015514360.tif 000013
【図３】
2015514360.tif 000014
【図４】
2015514360.tif 000015
【図５】
2015514360.tif 000016
【図６】
2015514360.tif 000017
【国際調査報告】
2015514360.tif 000018
2015514360.tif 000019